(57)【要約】【課題】読取機能及び印字機能を兼ね備えた省スペース、低コスト、かつ、省電力を実現することが可能な液体噴射装置であって、裏紙印刷時の表裏の確認をユーザーに強いることなく、資源の無駄が生じることを確実に防止可能な液体噴射装置を提供する。【解決手段】搬送される媒体に対して液体を噴射する記録ヘッドを有する記録手段と、記録手段よりも搬送方向上流側における同一の搬送経路上に設けられ、媒体を収容する第１、第２の収容室と、記録手段と第１、第２の収容室との間に設けられ、搬送される媒体の表面の印字情報を検出する読取手段と、読取手段よりも搬送方向下流側に設けられ、読取手段による印字情報の読取り結果に基づいて動作し、第１の収容室に収容された媒体の搬送経路を下流側に設けられた排出口方向又は第２の収容室方向に切替える切替手段とを備える態様とした。【選択図】図１
2012176838.tif 000002
【特許請求の範囲】
【請求項１】
搬送される媒体に対して液体を噴射する記録ヘッドを有する記録手段と、
前記記録手段よりも搬送方向上流側における同一の搬送経路上に設けられ、前記媒体を収容する第１、第２の収容室と、
前記記録手段と前記第１、第２の収容室との間に設けられ、搬送される前記媒体の表面の印字情報を検出する読取手段と、
前記読取手段よりも搬送方向下流側に設けられ、前記読取手段による印字情報の読取り結果に基づいて動作し、前記第１の収容室に収容された前記媒体の搬送経路を下流側に設けられた排出口方向又は前記第２の収容室方向に切替える切替手段とを備えた液体噴射装置。
【請求項２】
前記記録手段及び読取手段を制御する制御装置を備え、
前記制御装置は、前記読取手段に読取られた前記媒体の印字情報の有無を判別する判別手段と、
前記判別手段により前記媒体の印字情報が認識されたときに、前記記録手段による印字動作を中止する印字停止手段とを有する請求項１記載の液体噴射装置。
【請求項３】
前記読取手段の対面側に前記媒体の検出基準となる白基準が設けられ、当該白基準が前記媒体との摩擦を低減する部材である請求項１又は請求項２に記載の液体噴射装置。
【発明の詳細な説明】
【技術分野】
【０００１】
本発明は、液体噴射装置に関し、より詳細には記録機構と読取り機構とが同一の搬送経路上に設けられた液体噴射装置に関する。
【背景技術】
【０００２】
近年、記録装置の分野においては、所謂複合機と呼ばれる読取機構と印字機構とを両方備えた記録装置が開発されており、ユーザーは、その使用用途に合わせて被読取媒体となる原稿や、被記録媒体となる用紙等を所定の位置にセットすることにより、読込んだ原稿をデータ化したデータファイルや、所望のデータを被記録媒体に記録した原稿等を得ることができる。
しかしながら、従来の記録装置においては、所謂裏紙印刷を実行する際には、被記録媒体となる用紙等の表裏を事前に確認する作業がユーザーにとって煩わしく、また、表裏面の確認を怠って既に印字がなされている面を印字機構と対向する側にセットした場合には、既に印字がなされている面に新たな印字が重複して行われてしまい、資源の無駄が生じてしまう。
さらに、従来の記録装置においては、印字機構と読取機構とが別の機構として設けられている関係上、原稿等を読取機構まで搬送する搬送機構を、用紙を印字機構まで搬送する搬送機構と個別に設ける必要があり、機器の大型化や製造コスト増大、或いは駆動源を多用することに伴う電力消費を抑制することが困難となっていた。
【先行技術文献】
【特許文献】
【０００３】
【特許文献１】特開２００１−１０６４１０号公報
【特許文献２】特開２００５−１９９６５５号公報
【特許文献３】特開２０１０−２１７８３１号公報
【発明の概要】
【発明が解決しようとする課題】
【０００４】
本発明は、上記課題を解決すべく、読取機能及び印字機能を兼ね備えた省スペース、低コスト、かつ、省電力を実現することが可能な液体噴射装置であって、裏紙印刷時の表裏の確認をユーザーに強いることなく、資源の無駄が生じることを確実に防止可能な液体噴射装置を提供する。
【課題を解決するための手段】
【０００５】
上記課題を解決するための液体噴射装置の態様として、搬送される媒体に対して液体を噴射する記録ヘッドを有する記録手段と、記録手段よりも搬送方向上流側における同一の搬送経路上に設けられ、媒体を収容する第１、第２の収容室と、記録手段と第１、第２の収容室との間に設けられ、搬送される媒体の表面の印字情報を検出する読取手段と、読取手段よりも搬送方向下流側に設けられ、読取手段による印字情報の読取り結果に基づいて動作し、第１の収容室に収容された媒体の搬送経路を下流側に設けられた排出口方向又は第２の収容室方向に切替える切替手段とを備えた態様とした。
本態様によれば、記録ヘッドを有する記録手段と媒体を収容する第１、第２の収容室とが同一の搬送経路上に設けられているため、第１、第２の収容室に収容された媒体を単一の搬送経路により記録手段側に搬送でき、省スペース、低コスト、かつ、省電力な液体噴射装置を得ることができる。
また、読取手段が、記録手段と第１、第２の収容室との間に設けられ、搬送される媒体の表面の印字情報を検出し、切替手段が、読取手段よりも搬送方向下流側に設けられ、読取手段による印字情報の読取り結果に基づいて第１の収容室に収容された媒体の搬送経路を下流側に設けられた排出口方向又は第２の収容室方向に切替える動作を行うことから、裏紙印刷実行前において、ユーザーが媒体の表裏を確認することなく、印字情報が存在しない媒体のみを第２の収容室内に収容することが可能となる。
また、液体噴射装置の他の態様として、記録手段及び読取手段を制御する制御装置を備え、制御装置は、読取手段に読取られた媒体の印字情報の有無を判別する判別手段と、判別手段により媒体の印字情報が認識されたときに、記録手段による印字動作を中止する印字停止手段とを有する態様とした。
本態様によれば、前記態様から生じる効果に加え、記録手段及び読取手段を制御する制御装置の判別手段が、読取手段に読取られた媒体の印字情報の有無を判別し、印字停止手段が、判別手段によって媒体の印字情報が認識されたときに、記録手段による印字動作を中止することから、既に印字がなされている媒体の表面に対して新たな印字が重複して行われることを防止でき、媒体が無駄になることを防止できる。
また、液体噴射装置の他の態様として、読取手段の対面側に媒体の検出基準となる白基準を設け、当該白基準を媒体との摩擦を低減する部材とした。
本態様によれば、前記態様から生じる効果に加え、読取手段を通過する際に発生する媒体と白基準との擦れ音を低減することが可能となる。
【図面の簡単な説明】
【０００６】
【図１】インクジェットプリンターの要部を示す側断面図。
【図２】読取モードのフローチャート。
【図３】記録モードのフローチャート。
【図４】複写モードのフローチャート。
【図５】仕分けモードのフローチャート。
【０００７】
以下、発明の実施形態を通じて本発明を詳説するが、以下の実施形態は特許請求の範囲に係る発明を限定するものではなく、また実施形態の中で説明される特徴の組合せのすべてが発明の解決手段に必須であるとは限らず、選択的に採用される構成を含むものである。
【発明を実施するための形態】
【０００８】
図１は、液体噴射装置の一例としてのインクジェットプリンター１の要部を示す側断面図である。以下、図１を用いてインクジェットプリンター１について説明する。同図においてインクジェットプリンター１は、装置本体２の下方に設けられた第一収容室３と、装置本体２の上部に設けられる第二収容室４と、第一収容室３又は第二収容室４に収容された用紙１０を記録手段６に搬送する搬送機構５と、搬送機構５の搬送経路に沿って搬送される用紙１０表面の印字情報を読取る読取手段７と、インクジェットプリンター１の動作全般を制御する制御装置７０とを備える。
【０００９】
第一収容室３又は第二収容室４内に収容された用紙１０は、第一送出ローラー２１又は第二送出ローラー２７及び搬送機構５により矢印で示す搬送経路を経て下流側に位置する読取手段７及び記録手段６まで搬送され、読取手段７による読取動作或いは記録手段６による記録動作が実行される。即ち、本実施形態に係るインクジェットプリンター１は、単一の搬送経路により読取動作及び記録動作を実行可能なプリンターである。なお、本明細書において、第一収容室３内に収容された用紙１０が搬送される方向を下流側とし、下流側と反対方向を上流側とする。
【００１０】
以下、第一収容室３に収容された用紙１０を１０Ａとし、第二収容室４に収容された用紙１０を１０Ｂとし、用紙１０Ａの搬送経路に沿ってインクジェットプリンター１の詳細を説明する。第一収容室３は、装置本体２の底部に設けられた挿入空間に対して着脱自在な上方開放の箱型のカセット１１により構成される。カセット１１は、用紙１０Ａを単一又は重畳した状態で収容する。なお、カセット１１に収容可能な用紙１０Ａの最大面積は、例えばＡ３サイズとして設定されている。
【００１１】
カセット１１は、収容される用紙１０Ａの周囲を取り囲む壁部を有し、搬送方向の両壁部には分離斜面１３と湾曲面１４とが形成される。分離斜面１３は、カセット１１の下流側に位置する壁部に形成され、カセット底面１２から上方に向かうに従って下流側に傾斜する斜面である。分離斜面１３は、第一収容室３内に収容された複数の用紙１０Ａ同士が重なった状態で下流側に搬送されることを防止する。湾曲面１４は、カセット１１の上流側に位置する壁部に形成される断面円弧状の面であって、装置本体２のガイド通路４３を経てカセット１１内に進入する用紙１０Ｂの表裏面を反転させながら案内する。
【００１２】
第一収容室３に収容された用紙１０Ａは、第一送出ローラー２１により装置本体２側へ送り出される。第一送出ローラー２１は、揺動軸１９を中心に揺動し、下方に附勢された揺動部材２０の先端に設けられる。第一送出ローラー２１は、後述の第一送出ローラー制御部７１により制御される図外のモーターを駆動源とし、カセット１１内にセットされた最上位の用紙１０Ａと接して回転することにより、用紙１０Ａを下流側に送り出す。
【００１３】
第一送出ローラー２１の回転によりカセット１１から下流側に送り出された用紙１０Ａは、装置本体２のガイド通路３０を経て下流側に位置する記録手段６側に搬送される。ガイド通路３０は、装置本体２内に設けられたガイド３１；３２との間に形成された間隙である。ガイド通路３０は、搬送方向と直交する方向に延長し、用紙１０Ａの桁方向（幅方向）全域がガイド通路３０内に進入する。また、用紙１０Ａは、湾曲して形成されたガイド通路３０を経ることにより表裏面が反転し、略水平な状態で記録手段６側に搬送される。
【００１４】
ガイド通路３０内に進入した用紙１０Ａは、搬送機構５により下流側に位置する記録手段６に搬送される。搬送機構５は、第一搬送ローラー２２、第二搬送ローラー２３、第三搬送ローラー２４、排出ローラー２５及び回送ローラー２６とにより構成される。
第一搬送ローラー２２は、ガイド通路３０の経路内に設けられ、中間ローラーとも呼ばれるローラーである。第一搬送ローラー２２は、駆動ローラー２２Ａと従動ローラー２２Ｂとの一対のローラーにより構成される。駆動ローラー２２Ａ及び従動ローラー２２Ｂは、円筒状のゴムローラーであって、装置本体２の桁方向に沿って架設される回転軸により支持される。駆動ローラー２２Ａ及び従動ローラー２２Ｂは、外周面が互いに接触するように配置される。駆動ローラー２２Ａは、後述の搬送制御部７３に制御される図外のモーターを駆動源とし、複数の歯車を経由して回転する。なお、搬送制御部７３に制御されるモーターの回転力は、他の第二搬送ローラー２３、第三搬送ローラー２４、排出ローラー２５及び回送ローラー２６における各駆動ローラーに伝達される。
第一搬送ローラー２２が回転している状態において、用紙１０Ａの端部が駆動ローラー２２Ａと従動ローラー２２Ｂとの間に挟み込まれると、用紙１０Ａは第一搬送ローラー２２のガイド通路３０の経路に沿って反転し、第二搬送ローラー２３側に向かって徐々に搬送される。
【００１５】
第二搬送ローラー２３は、第一搬送ローラー２２よりも下流側におけるガイド通路３０内に配設される。第二搬送ローラー２３は、第一搬送ローラー２２の構成と同様の駆動ローラー２３Ａと従動ローラー２３Ｂとを備え、第一搬送ローラー２２により搬送された用紙１０Ａの先端を挟み込み、下流側の第三搬送ローラー２４側に向かって徐々に搬送する。
【００１６】
ガイド通路３０における第一搬送ローラー２２と第二搬送ローラー２３との間には、第二収容室４から送り出される用紙１０Ｂの取込口３３が開設される。
取込口３３は、用紙１０Ｂの搬送方向と直交する方向に沿って延長する開口であって、用紙１０Ｂの桁方向（幅方向）全域を取り込み可能である。用紙１０Ｂは、第二収容室４を形成するトレイ５０内に収容されており、第二送出ローラー２７の回転により取込口３３を経てガイド通路３０内に進入する。
【００１７】
トレイ５０は、装置本体２に対して傾斜して配置される。トレイ５０は、用紙１０Ｂの表面と接する基板部と、用紙１０Ｂの桁方向に沿って立ちがある壁部とにより上方開口の収容空間を有する。トレイ５０の収容空間は、複数の用紙１０Ｂを収容可能であり、用紙１０Ｂが単一又は重畳した状態で収容される。また、壁部の間隔は、適宜調整可能であり、異なるサイズの用紙１０Ｂを収容することができる。なお、トレイ５０に収容可能な用紙１０Ｂの最大面積は、カセット１１と同様に例えばＡ３サイズとして設定されている。
【００１８】
第二送出ローラー２７は、取込口３３の近傍に配設される円筒状のゴムローラーであって、用紙１０Ｂの桁方向に沿って延長する。第二送出ローラー２７は、一方向に回転することによりトレイ５０内に収容された用紙１０Ｂを一枚づつガイド通路３０側へと送り出す。ガイド通路３０内に進入した用紙１０Ｂは、下流側に位置する第二搬送ローラー２３に挟み込まれ、用紙１０Ａと同様の経路を経て下流側に搬送される。
即ち、本実施形態に係るインクジェットプリンター１は、第一収容室３及び第二収容室４からなる複数の収容室に収容された用紙１０Ａ又は用紙１０Ｂを同一の搬送経路に沿って下流側に搬送する形態である。また、例えば第一収容室３に収容される用紙１０Ａは、未だ印字がなされていない新規な用紙、又は後述の仕分けモードによって印字対象となる表面に印字がなされていないことが確認された用紙（裏紙）である。一方、第二収容室４に収容される用紙１０Ｂは、後述の読取りモードにおける読取り対象となる原稿や、後述の仕分けモードにおける印字対象となるいずれかの表面に印字がなされている可能性がある用紙である。
【００１９】
第三搬送ローラー２４は、第二搬送ローラー２３よりも下流側、かつ、記録手段６よりも上流側に配設され、前述の第一搬送ローラー２２と同様の構成の駆動ローラー２４Ａと従動ローラー２４Ｂとにより構成される。第三搬送ローラー２４は、第二搬送ローラー２３により搬送された用紙１０Ａ又は用紙１０Ｂの先端を挟み込み、記録手段６側に向かって所定の速度で搬送する。
【００２０】
第二搬送ローラー２３と第三搬送ローラー２４との間の搬送面３４上には、読取手段７が設けられる。搬送面３４は、上流側から搬送される用紙１０Ａ又は用紙１０Ｂを直線的に搬送するためのガイド面である。
また、搬送面３４における後述の読取面７Ａと対向する表面には、桁方向に渡って帯状に連続する白色の白基準部材３５が配置される。白基準部材３５は、後述の読取手段７が用紙１０Ａ又は用紙１０Ｂの印字情報を読取る際の白色の基準を取得するための部材である。また、白基準部材３５は、搬送面３４上に貼着又は塗布される白色なフッ素系樹脂やアクリル系樹脂、ＡＢＳ等の低摩擦係数を有する部材からなり、当該白基準部材３５上を通過する用紙１０Ａ又は用紙１０Ｂとの擦れ音が低減される。
【００２１】
読取手段７は、搬送面３４に配置された白基準部材３５と対向する側に配設されるスキャナーユニットであって、ＣＩＳ方式やＣＣＤ方式が採用される。読取手段７は、断面矩形の棒体であって、下面に形成された読取面７Ａの延長方向が用紙１０Ａ又は用紙１０Ｂの搬送方向と直交し、白基準部材３５と平行となるように配置される。
読取手段７による読取り動作は、用紙１０Ａ又は用紙１０Ｂの表面と対向する読取面７Ａの下方を搬送中の用紙１０Ａ又は用紙１０Ｂが通過することにより実行され、用紙１０Ａ又は用紙１０Ｂの桁方向全域の印字情報を読取る。読取手段７の読取面７Ａは、搬送中の用紙１０Ａ又は用紙１０Ｂの表面に向かって光を照射する発光部と、用紙１０Ａ又は用紙１０Ｂの表面に反射した光を受光する受光部とを有し、反射光の変化により桁方向全域の印字情報を検出する。
また、読取手段７は、制御装置７０と電気的に接続され、後述の読取制御部７６によって制御される。検出された印字情報は、読取制御部７６により記憶部７６Ａに格納される。
【００２２】
第三搬送ローラー２４の下流側には、搬送面３４と連続し、水平に延長する搬送面３６が形成される。搬送面３６は、プラテンとも呼ばれる基板であって、第三搬送ローラー２４を経た用紙１０Ａ又は用紙１０Ｂの水平状態を維持する。
【００２３】
搬送面３６の対面側には記録手段６が設けられる。記録手段６は、搬送中の用紙１０Ａ又は用紙１０Ｂ上において用紙１０Ａ又は用紙１０Ｂの表面に液体としてのインクを噴射する記録ヘッド６１と、記録ヘッド６１を桁方向に往復動作させるキャリッジ６３を備える。記録ヘッド６１は、桁方向に延長するガイド軸６２に沿って摺動するキャリッジ６３の下面に設けられる。キャリッジ６３は、内部に形成された液体収容室内に例えば、シアン、マゼンダ、イエロー、ブラック等のインクカートリッジを備える。
キャリッジ６３は、図外のタイミングベルトと接続されており、後述するキャリッジ制御部７５に制御される図外のモーターの駆動によりタイミングベルトが桁方向に動作することにより、用紙１０Ａ又は用紙１０Ｂの桁方向に沿って往復動作する。
【００２４】
記録ヘッド６１は、キャリッジ６３の往復動作中に、キャリッジ６３及び記録ヘッド６１内に形成されたインク流路を経たインクカートリッジ内のインクを下面に形成されたインクノズルから用紙１０Ａ又は用紙１０Ｂに向けて噴射する。インクの噴射動作は、記録ヘッド６１内に形成された圧力印加室内の圧力を変化させるピエゾ素子に電力を供給することにより実行され、記録ヘッド６１を往復動作させながらインクを噴射することにより、用紙１０Ａ又は用紙１０Ｂに印字がなされる。なお、図示は省略するが、記録手段６は、記録ヘッド６１の下面を封止するキャッピング機構や、不要なインク滴を回収するフラッシング機構等も有している。
【００２５】
搬送面３６よりも下流側には、用紙１０Ａ又は用紙１０Ｂの搬送経路を切替える切替えフラップ３８が設けられる。切替えフラップ３８は、記録手段６を通過した用紙１０Ｂの搬送方向を排出口４０方向又は第一収容室３方向に切替える。切替えフラップ３８は、上下方向に伸長動作する駆動源３９によって、水平姿勢又は傾斜姿勢の２つの姿勢をとる切替え面３８Ａを有する。
【００２６】
切替え面３８Ａは、用紙１０Ａ又は用紙１０Ｂの桁方向に沿って延長する面であって、切替えフラップ３８が回転軸３８Ｂを中心として回転することにより、搬送面３６を経た用紙１０Ａ又は用紙１０Ｂの進路を切替える。
駆動源３９は、例えばソレノイドにより構成され、制御装置７０と電気的に接続される。駆動源３９は、制御装置７０における後述の搬送制御部７３から出力される切替え信号に基づいて収縮し、切替え面３８Ａを水平姿勢から傾斜姿勢に切替える。
また、切替えフラップ３８は、読取手段７の読取面７Ａに対して用紙１０Ａ又は用紙１０Ｂの搬送方向長さ分以上離間している。より具体的には、離間距離をカセット１１及びトレイ５０内に収容可能な最大面積（本例ではＡ３サイズ）を有する用紙１０Ａ又は用紙１０Ｂの搬送方向長さ（本例では、４２０ｍｍ）よりも長く設定すれば、後述の仕分けモード時に読取手段７によって読込まれた用紙１０Ｂを確実に仕分け可能な距離が確保される。
【００２７】
切替えフラップ３８の切替え面３８Ａが水平姿勢である場合において、搬送面３６を通過した用紙１０Ａ又は用紙１０Ｂは、排出ローラー２５によって排出口４０側方向に搬送される。排出ローラー２５は、切替えフラップ３８よりも下流側に設けられ、前記第一搬送ローラー２２と同様の構成の駆動ローラー２５Ａと従動ローラー２５Ｂにより構成される。排出ローラー２５は、第三搬送ローラー２４により搬送された用紙１０Ａ又は用紙１０Ｂを挟み込みながら下流側に搬送し、用紙１０Ａ又は用紙１０Ｂは排出面３７に沿って排出口４０から排出される。
【００２８】
一方、切替えフラップ３８の切替え面３８Ａが傾斜姿勢である場合において、搬送面３６を通過した用紙１０Ａ又は用紙１０Ｂは、排出面３７の下方に形成された開口４２から取り込まれ、第一収容室３側に搬送される。ガイド通路４３は、ガイド４４とガイド４５とにより所定の間隔を持って形成される。開口４２を形成するガイド４４の先端面は、傾斜姿勢の切替え面３８Ａの先端面と略面一であって、切替え面３８Ａに沿って搬送される用紙１０Ｂをスムースに取り込み可能である。ガイド通路４３は、装置本体２側に形成された開口４２からカセット１１側に形成された排出口４８へ湾曲して連通する通路であって、開口４２から取り込まれた用紙１０Ａ又は用紙１０Ｂは、排出口４８を経てカセット１１内に収容される。
【００２９】
排出口４８は、カセット１１の湾曲面１４に対応する直上に形成される。また、排出口４８の上流側近傍には回送ローラー２６が設けられる。回送ローラー２６は、切替えフラップ３８よりも下流側のガイド通路４３内に配設される。回送ローラー２６は、前記第一搬送ローラー２２と同様の構成の駆動ローラー２６Ａと従動ローラー２６Ｂとにより構成される。回送ローラー２６は、ガイド通路４３内に進入した用紙１０Ｂの先端を挟み込み、排出口４８からカセット１１内に排出する。ガイド通路４３を経由してカセット１１に搬送される用紙１０Ａ又は用紙１０Ｂは、湾曲面１４により表裏が反転し、カセット１１内に収容される。
【００３０】
制御装置７０は、ＣＰＵ，ＲＯＭ，ＲＡＭ等の所謂ハードウェアを有し、インクジェットプリンター１の動作全般を制御する。制御装置７０は、第一送出ローラー２１の動作を制御する第一送出ローラー制御部７１と、第二送出ローラー２７の動作を制御する第二送出ローラー制御部７２と、装置本体２に送り出された用紙１０Ａ又は用紙１０Ｂを搬送する搬送機構５及び切替えフラップ３８の切替え動作を制御する搬送制御部７３を備える。また、制御装置７０は、記録ヘッド６１の液体噴射動作を制御する記録制御部７４と、キャリッジ６３の往復動作を制御するキャリッジ制御部７５と、読取手段７により用紙１０Ａ又は用紙１０Ｂの読取り動作を制御する読取制御部７６とを備える。また、制御装置７０は、上記各制御部を統括し、複数のモードに応じて各制御部を機能させる主制御部７７を備える。
以下、各制御部の機能をインクジェットプリンター１に搭載された複数のモードに対応させて説明する。
【００３１】
図２は、読取モードのフローチャートを示す。
読取モードは、トレイ５０にセットされた用紙１０Ｂに表記された印字情報を図外のコンピューター等にデータ化して出力するモードである。なお、当該モードにおける用紙１０Ｂは被読取媒体となる原稿等である。
主制御部７７は、Ｓ１０１において図外のコンピューターや、装置本体２に設けられた図外の釦からの読取開始信号の入力に基づいて、第二送出ローラー制御部７２及び搬送制御部７３に駆動コマンドを送信し、用紙１０Ｂの搬送を開始する。第二送出ローラー制御部７２及び搬送制御部７３は、駆動コマンドの受信に基づいて図外の駆動モーターを所定の速度で回転駆動させ、第二送出ローラー２７、及び、搬送機構５を構成する第一搬送ローラー２２、第二搬送ローラー２３、第三搬送ローラー２４及び排出ローラー２５を一方向に回転させる。また、このとき切替えフラップ３８の駆動源３９には電力が供給されず、切替え面３８Ａは水平姿勢を維持する。当該Ｓ１０１の処理により、トレイ５０内に収容された用紙１０Ｂは、読取手段７を通過した後、排出口４０から排出される。
【００３２】
主制御部７７は、Ｓ１０１の処理とともにＳ１０２において読取制御部７６に読取コマンドを送信し、用紙１０Ｂの読取り動作を開始させる。読取制御部７６は、読取コマンドの受信に基づいて読取手段７を動作させ、上流側から搬送されてくる用紙１０Ｂの表面の印字情報をスキャンする。
読取制御部７６は、読取手段７から逐次入力される検出信号に基づいて、搬送中の用紙１０Ｂの表面上に印字されている印字情報を印字データとして記憶部７６Ａに格納する。なお、ここで述べる印字情報とは、印刷された文字の情報だけをさすのではなく、文字に限らず印刷された画像の情報も当然に含まれるものである。主制御部７７は、Ｓ１０３において、読取手段７による読取りが完了した時点で記憶部７６Ａに格納された印字データを所定の形式に変換して図外のコンピューターに出力することにより読取モードを終了する。なお、当該読取モードにおいては、トレイ５０に用紙１０Ｂを収容するとして説明したが、これに限られるものではなく、カセット１１内に原稿となる用紙１０Ａを収容するようにしてもよい。そしてこの場合、第一送出ローラー制御部７１によって第一送出ローラー２１が回転駆動する。
【００３３】
次に、記録モードについて説明する。図３は、記録モードのフローチャートを示す。
記録モードは、カセット１１に収容された用紙１０Ａやトレイ５０に収容された用紙１０Ｂに対して印刷動作を実行するモードである。なお、当該モードにおける用紙１０Ａ及び用紙１０Ｂは被記録媒体となる新規な用紙、或いは、少なくとも記録ヘッド６１と対向する表面に印字がなされていない所謂裏紙である。
主制御部７７は、Ｓ２０１において例えば図外の電源スイッチの押下により電源供給がなされたことに基づいて記録制御部７４に対して印刷準備コマンドを送信する。記録制御部７４は、当該コマンドの受信により印刷準備動作を実行する。印刷準備動作とは、例えばインクノズルの詰まりを解消するためにインクを空吐出するフラッシング動作や、ノズル面に付着した不要なインクを拭い去るワイピング動作等を含む。
主制御部７７は、Ｓ２０２において、図外のコンピューターや、装置本体２に設けられた図外の釦から印刷動作を開始すべき旨の信号が入力され、記憶部７６Ａに印刷対象となる印字データが有るかを判定し、ＹＥＳの場合Ｓ２０３に移行し、ＮＯの場合処理を終了する。
【００３４】
主制御部７７は、Ｓ２０３において第一送出ローラー制御部７１又は第二送出ローラー制御部７２、及び、搬送制御部７３に駆動コマンドを送信し、用紙１０Ａ又は用紙１０Ｂの搬送を開始する。なお、第一送出ローラー制御部７１及び第二送出ローラー制御部７２のいずれに駆動コマンドを送信するかは、トレイ５０又は取込口３３の近傍に設けられた図外の検出器による用紙１０Ｂの有無により決定される。本実施形態においては、トレイ５０に収容された用紙１０Ｂが優先して搬送される。
【００３５】
第一送出ローラー制御部７１又は第二送出ローラー制御部７２、及び、搬送制御部７３は、駆動コマンドの受信に基づいて図外の駆動モーターを所定の速度で回転駆動させ、第一送出ローラー２１又は第二送出ローラー２７、及び、搬送機構５を一方向に回転させる。
主制御部７７は、Ｓ２０４において読取制御部７６に読取コマンドを送信し、搬送されてくる用紙１０Ａ又は用紙１０Ｂの読取り動作を開始させる。読取制御部７６は、読取コマンドの受信に基づいて読取手段７を動作させ、上流側から搬送されてくる用紙１０Ａ又は用紙１０Ｂの表面の印字情報を読取る。また、読取制御部７６は、読取手段７から逐次入力される信号に基づいて搬送中の用紙１０Ａ又は用紙１０Ｂの表面上に既に印字がなされている領域（既印字領域）が有るかを判定し、ＹＥＳの場合Ｓ２０５に移行し、ＮＯの場合Ｓ２０７に移行する。
【００３６】
主制御部７７は、Ｓ２０５において、記録制御部７４及びキャリッジ制御部７５に印刷中止コマンドを送信する。記録制御部７４は、印刷中止コマンドの受信に基づいて記録ヘッド６１によるインクの噴射を中止する。また、キャリッジ制御部７５は、印刷中止コマンドの受信に基づいてキャリッジ６３の往復動作を中止し、キャリッジ６３を桁方向一側部に設けられた所定位置（ホームポジション）に待機させる。
主制御部７７は、Ｓ２０６において搬送制御部７３に対して排出コマンドを送信し、印字動作が中止された用紙１０Ａ又は用紙１０Ｂを排出する。搬送制御部７３は当該コマンドの受信に基づいて駆動モーターの回転数を増加し、搬送中であった既印字領域を有する被記録媒体１０Ａ又は用紙１０Ｂを直ちに排出口４０側へ向かって搬送，排出する。
つまり、Ｓ２０４及びＳ２０５の印字動作中止処理により、搬送される用紙１０Ａ又は用紙１０Ｂの表面に既に印字された領域がある場合には印字動作が中止されることから、ユーザーが第一収容室３又は第二収容室４内に過って印字済みの用紙１０Ａ又は用紙１０Ｂを収容した場合であっても、用紙１０Ａ又は用紙１０Ｂの表面上に新たな印字が重なって印刷されるようなことがなくなり、用紙１０Ａ又は用紙１０Ｂが無駄となることを確実に防止できる。
【００３７】
主制御部７７は、Ｓ２０７において、記録制御部７４に印字継続コマンドを送信し、用紙１０Ａ又は用紙１０Ｂへの印字動作を継続させる。記録制御部７４は、印刷継続コマンドの受信、及び、記億部７６Ａに格納された印字データに基づいてキャリッジ６３を往復動作させながら記録ヘッド６１によるインク噴射動作を実行し、逐次搬送されてくる用紙１０Ａ又は用紙１０Ｂ上に文字や図形等の情報を印字する。記録手段６により適正な印字がなされた用紙１０Ａ又は用紙１０Ｂは、図外のモーターの回転が継続することにより排出ローラー２５まで到達し、排出口４０を経て排出される。
【００３８】
また、Ｓ２０３乃至Ｓ２０７の処理は、Ｓ２０２の判定により記憶部７６Ａに蓄積された印字データがなくなるまで継続し、対応する印字データに相当する枚数分の用紙１０Ａ又は用紙１０Ｂへの印字が完了するまで繰り返され、印字データが無くなると記録モードが終了する。
【００３９】
次に、複写モードについて説明する。図４は、複写モードのフローチャートを示す。
複写モードは、トレイ５０に収容された用紙１０Ｂを読込み、読込んだ印字データをカセット１１内の用紙１０Ａに印字するモードであり、上述の読取りモードと記録モードとが組み合わされた処理を実行する。当該モードにおける用紙１０Ａは、被記録媒体となる新規な用紙、或いは、少なくとも記録ヘッド６１と対向する表面に印字がなされていない所謂裏紙であり、用紙１０Ｂは、被読取媒体となる原稿等である。以下、複写モードについて概説する。
【００４０】
主制御部７７は、Ｓ３０１において例えば図外の電源スイッチの押下により電源供給がなされたことに基づいて記録制御部７４に対して印刷準備コマンドを送信する。記録制御部７４は、当該コマンドの受信により印刷準備動作を実行する。なお、記録制御部７４は、印刷準備動作実行後、用紙１０Ｂの読取動作が完了するまで、用紙１０Ａへの印字動作を保留する。
主制御部７７は、Ｓ３０２において第二送出ローラー制御部７２及び搬送制御部７３に駆動コマンドを送信し、用紙１０Ｂの搬送を開始させる。主制御部７７は、Ｓ３０２の処理とともにＳ３０３において読取制御部７６に読取コマンドを送信し、用紙１０Ｂの読取り動作を開始させる。読取制御部７６は、読取コマンドの受信に基づいて読取手段７を動作させ、読取手段７から逐次入力される検出信号に基づいて搬送中の用紙１０Ｂの表面上に印字されている印字情報を印字データとして記憶部７６Ａに格納する。当該印字データの格納処理は、トレイ５０内の用紙１０Ｂが無くなるまで継続し、記憶部７６Ａには用紙１０Ｂの枚数に応じた印字データが蓄積される。
【００４１】
印字データの格納完了後、主制御部７７は、Ｓ３０４において記憶部７６Ａに印刷対象となる印字データが有るかを判定し、ＹＥＳの場合Ｓ３０５に移行し、ＮＯの場合処理を終了する。主制御部７７は、Ｓ３０５において第一送出ローラー制御部７１、及び、搬送制御部７３に駆動コマンドを送信し、カセット１１内に収容された用紙１０Ａの搬送を開始させる。また、記録制御部７４は、保留していた用紙１０Ａへの印字動作を開始する。
主制御部７７は、Ｓ３０６において、読取制御部７６に読取コマンドを送信し、用紙１０Ａの読取り動作を開始させる。読取制御部７６は、読取コマンドの受信に基づいて読取手段７を動作させ、上流側から搬送されてくる用紙１０Ａの表面の印字情報をスキャンする。読取制御部７６は、読取手段７から逐次入力される信号に基づいて搬送中の用紙１０Ａの表面上に既印字領域が有るかを判定し、判定の結果、既印字領域が存在する場合にはＳ３０７に移行し、印字がなされている領域が存在しない場合には、Ｓ３０９に移行する。
【００４２】
主制御部７７は、Ｓ３０７において、記録制御部７４に印刷中止コマンドを送信する。記録制御部７４は、前述の記録モードと同様に印刷中止コマンドの受信に基づいて、記録ヘッド６１及びキャリッジ６３の動作を中止する。主制御部７７は、Ｓ３０８において搬送制御部７３に対して排出コマンドを送信する。搬送制御部７３は、前述の記録モードと同様に印字動作が中止された用紙１０Ａを直ちに排出する。
【００４３】
つまり、当該複写モードにおいても、Ｓ３０６及びＳ３０７の処理により、搬送される用紙１０Ａの表面に既に印字された領域がある場合には印字動作が中止されることから、ユーザーが第一収容室３に過って印字済みの用紙１０Ａを収容した場合であっても、用紙１０Ａの表面上に新たな印字が重なって印刷されるようなことがなくなり、用紙１０Ａが無駄となることを確実に防止できる。
なお、上記複写モードにおいては、用紙１０Ａ及び用紙１０Ｂをそれぞれカセット１１及びトレイ５０に収容するものとしたが、例えばカセット１１又はトレイ５０のいずれか一方に用紙１０Ａ上に用紙１０Ｂを重ねて収容するものとしてもよい。このように収容すれば第一送出ローラー２１と第二送出ローラー２７との切替制御が不要となるため、複写をより速く完了することが可能となる。
【００４４】
主制御部７７は、Ｓ３０９において、記録制御部７４に印字継続コマンドを送信し、用紙１０Ａへの印字動作を継続させる。記録制御部７４は、印刷継続コマンドの受信、及び、記億部に格納された印字データに基づいてキャリッジ６３を往復動作させながら記録ヘッド６１によるインク噴射動作を実行し、逐次搬送されてくる用紙１０Ａ上に文字や画像等の情報を印字する。Ｓ３０５乃至Ｓ３０９の処理は、Ｓ３０４の判定により記憶部７６Ａに蓄積された印字データがなくなるまで継続し、対応する印字データに相当する枚数分の用紙１０Ａへの印字が完了するまで繰り返され、印字データが無くなると複写モードが終了する。
【００４５】
次に、仕分けモードについて説明する。図５は、仕分けモードのフローチャートを示す。
仕分けモードは、トレイ５０内に収容された用紙１０Ｂを排出口４０又はカセット１１内に仕分ける動作を実行するモードである。当該モードは、例えばユーザーが、所謂裏紙印刷を実行したいような場合に、表裏面の確認を行うことなく印字可能な用紙を自動的にカセット１１内に収容するモードであり、当該モードが実行されることにより、裏紙印刷が可能な用紙１０Ｂのみをカセット１１内に収容できる。また、当該モードにおける用紙１０Ｂは、例えばユーザーによって印字の有無が確認されていない用紙であり、場合によって記録ヘッド６１と対向する表面に既に印字がなされている用紙が混在する用紙である。以下、仕分けモードの処理について説明する。
【００４６】
図５に示すように、主制御部７７は、Ｓ４０１において、図外のコンピューターや、装置本体２に設けられた図外の釦からの仕分け開始信号の入力に基づいて、第二送出ローラー制御部７２及び搬送制御部７３に駆動コマンドを送信し、用紙１０Ｂの搬送を開始する。
主制御部７７は、Ｓ４０２において、Ｓ４０１の処理とともに読取制御部７６に読取コマンドを送信し、用紙１０Ｂの読取り動作を開始する。
読取制御部７６は、読取コマンドの受信に基づいて読取手段７を動作させ、上流側から搬送されてくる用紙１０Ｂの表面の印字情報をスキャンする。また、読取制御部７６は、読取手段７から逐次入力される信号に基づいて搬送中の用紙１０Ｂの表面上に既印字領域が有るかを判定する。当該判定の結果、既印字領域が存在する場合にはＳ４０３に移行し、存在しない場合にはＳ４０５に移行する。
【００４７】
主制御部７７は、Ｓ４０３において切替えフラップ３８を動作させることなく、搬送制御部７３に対して排出コマンドを送信する。搬送制御部７３は、前述の記録モードと同様に印字動作が中止された用紙１０Ｂを直ちに排出する。つまり、当該処理により既印字領域を有する用紙１０Ｂが排出口４０から排出される。
一方、主制御部７７は、Ｓ４０５において搬送制御部７３に経路切替コマンドを送信し、読取手段７を経た用紙１０Ｂの搬送経路をカセット１１方向に切替える。搬送制御部７３は、経路切替コマンドの入力に基づいて駆動源３９に対して駆動信号を出力し、切替えフラップ３８の切替え面３８Ａをガイド通路４３側に傾斜させる。切替え面３８Ａがガイド通路４３側に傾斜することにより、切替え面３８Ａ上を通過する用紙１０Ｂは、ガイド通路４３を経てカセット１１内に進入し、印字がなされていない面が下方を向いた状態で収容される。また、上記Ｓ４０１乃至４０３及びＳ４０５の処理は、Ｓ４０４における判定がＹＥＳとなるまで継続し、トレイ５０内に収容された用紙１０Ｂが無くなると仕分けモードは終了する。
【００４８】
つまり、Ｓ４０２，Ｓ４０３及びＳ４０５の処理により、搬送される用紙１０Ｂにおける記録手段６と対向する表面に既印字領域がある場合には、裏紙印刷に不適当な用紙として排出口４０から排出する一方、表面に既印字領域が存在しない場合には、裏紙印刷に適した用紙としてカセット１１内に収容する構成である。
また、ユーザーは、排出口４０から排出された用紙１０Ｂの表裏を反転させてから再度トレイ５０に収容し、再び仕分けモードを実行することにより、裏紙印刷に適した用紙をカセット１１内に収容できる。つまり、本実施形態に係るインクジェットプリンター１によれば、ユーザーは、裏紙印刷を実行する際に、事前に仕分けモードを実行することにより、表裏面を確認することなく裏紙印刷に適した用紙のみを確保することが可能となる。
【００４９】
以上、本発明を実施の形態を用いて説明したが、本発明の技術的範囲は上記実施の形態に記載の範囲には限定されない。上記実施の形態に、多様な変更又は改良を加えることが可能である。
特に上述の仕分けモードにおける各処理と記録モードにおける各処理とは連続して実行することが可能である。
具体的には、一方のトレイ５０内に収容された用紙１０Ｂの中から、読取手段７及び切替えフラップ３８による仕分け動作により裏紙印刷に適した用紙のみをカセット１１に収容し、さらにカセット１１内に収容された用紙１０Ａを被記録媒体として記録手段６側に搬送することにより、ユーザーは用紙の表裏面を確認することなくトレイ５０内に用紙１０Ｂを収容するだけで、裏紙印刷を実行することが可能となる。
また、液体噴射装置をインクジェットプリンターとして説明したが、液体を噴射可能な記録ヘッドを備えていればファクシミリ等その他の装置をも含む。また、液体はインクに限定されるものではなく、液晶ディスプレイ、ＥＬディスプレイ、面発光ディスプレイ、カラーフィルター等の製造に採用される電極材や色材を分散又は溶解した状態のものを含む。また、被記録媒体、或いは、被読取媒体は、所謂普通紙のみに限らず、上記フィルム等、記録部に対して搬送可能なものであれば、特に限定されない。
【符号の説明】
【００５０】
１  インクジェットプリンター、２  装置本体、３  第一収容室、４  第二収容室、
５  搬送機構、６  記録手段、７  読取手段、１０；１０Ａ；１０Ｂ  用紙、
１１  カセット、１４  湾曲面、２１  第一送出ローラー、
２２  第一搬送ローラー、２３  第二搬送ローラー、２４  第三搬送ローラー、
２５  排出ローラー、２６  回送ローラー、２７  第二送出ローラー、
３０  ガイド通路、３５  白基準部材、３８  切替えフラップ、４３  ガイド通路、
５０  トレイ、７０  制御装置。
【図１】
2012176838.tif 000003
【図２】
2012176838.tif 000004
【図３】
2012176838.tif 000005
【図４】
2012176838.tif 000006
【図５】
2012176838.tif 000007